(57)【要約】【課題】アッパケースの開放検出用の光センサを備えたセキュリティ機器において、光センサが不正に壊されることを回避し、光センサが外部光によって誤動作することを回避し、さらに光センサの取り付けを容易とする。【解決手段】ロアケース３におけるロア側板部３ｂ３の近傍に、第１及び第２の遮蔽板部１１、１２と、これらの間に位置する案内用板部１３とを形成し、センサ用基板１０の第１の張り出し板部１０ｂ及び第２の張り出し板部１０ｃを係止する第１及び第２の係止爪部１４、１５を形成し、センサ用基板１０を案内用板部１３の一端部１３ｂと第１及び第２の係止爪部１４、１５との間に挿入し係止することにより、光センサ９を、第１及び第２の遮蔽板部１１、１２間及び第１及び第２の係止爪部１４、１５の各係止突部１４ｂ、１５ｂ間に収容配置するようにした。【選択図】図５
2015185563.tif 000002
【特許請求の範囲】
【請求項１】
矩形状をなすロア主板部（３ａ）及びその各辺縁部から相互に連続して立ち上がる４つのロア側板部（３ｂ１〜３ｂ４）を有するロアケース（３）と、
矩形状をなすアッパ主板部（４ａ）及びその各辺縁部から相互に連続して立ち上がる４つのアッパ側板部（４ｂ１〜４ｂ４）を有するアッパケース（４）と、
前記４つのロア側板部（３ｂ１〜３ｂ４）の一つのロア側板部（３ｂ１）に前記４つのアッパ側板部（４ｂ１〜４ｂ４）の一つのアッパ側板部（４ｂ１）を回動可能に係合することにより前記アッパケース（４）をロアケース（３）に開閉可能に設けた構成であり、閉塞状態で前記ロア側板部（３ｂ１〜３ｂ４）に対して前記アッパ側板部（４ｂ１〜４ｂ４）が接合した形態となり、内部にセキュリティ機能を実現するための電子部品及び表示器（８）を備えたケース（２）と、
検出領域（９Ｅ）を有すると共に一面に基板取付面（９ｉ）を有し前記ロアケース（３）において前記一つのロア側板部（３ｂ１）とは反対側である開放側のロア側板部（３ｂ３）の近くに設けられるアッパケース開放検出用の光センサ（９）と、
前記光センサ（９）における前記基板取付面（９ｉ）に取り付けられて当該光センサ（９）と一体物とされ、前記光センサ（９）の前記基板取付面（９ｉ）から前記ロア主板部（３ａ）の内面方向へ突出する突出部（１０ａ）を有すると共に、当該突出部（１０ａ）から前記光センサ（９）の両側面よりも両側に張り出す第１及び第２の張り出し板部（１０ｂ、１０ｃ）を有するセンサ用基板（１０）と、
前記アッパケース（４）において前記一つのアッパ側板部（４ｂ１）とは反対側である開放側のアッパ側板部（４ｂ３）に近傍に設けられ前記光センサ（９）によって検出される被検出部（１８）と、
前記ロアケース（３）の前記ロア主板部（３ａ）の内面における前記開放側のロア側板部（３ｂ３）の近傍に、前記ロア主板部（３ａ）の内面から夫々前記アッパ主板部（４ａ）内面方向へ立ち上がり相互に平行で且つ前記開放側のロア側板部（３ｂ３）とも平行な形態に形成された第１及び第２の遮蔽板部（１１、１２）と、
前記ロアケース（３）の前記ロア主板部（３ａ）の内面において前記第１及び第２の遮蔽板部（１１、１２）の間に、前記ロア主板部（３ａ）の内面から前記アッパ主板部（４ａ）内面方向へ立ち上がり且つ前記第１及び第２の遮蔽板部（１１、１２）と平行となる形態に形成され、立ち上がり方向の先端部をガイド部（１３ａ）とした案内用板部（１３）と、
前記ロアケース（３）の前記ロア主板部（３ａ）の内面において前記案内用板部（１３）の一端部（１３ｂ）から一方向（Ｐ１）に前記センサ用基板（１０）の板厚相当距離（ｔ１´）離れた位置で且つ前記第１の遮蔽板部（１１）の近傍の位置に立ち上がり形成された直状部（１４ａ）と、この直状部（１４ａ）の立ち上がり先端部に前記一方向（Ｐ１）とは逆方向に突出する係止突部（１４ｂ）とを有して前記第１の張り出し板部（１０ｂ）を係止する第１の係止爪部（１４）と、
前記ロアケース（３）の前記ロア主板部（３ａ）の内面において前記案内用板部（１３）の一端部（１３ｂ）から前記一方向（Ｐ１）に前記センサ用基板（１０）の板厚相当距離（ｔ１´）離れた位置で且つ前記第２の遮蔽板部（１２）の近傍の位置に立ち上がり形成された直状部（１５ａ）と、この直状部（１５ａ）の立ち上がり先端部に前記一方向（Ｐ１）とは逆方向に突出する係止突部（１５ｂ）とを有して前記第２の張り出し板部（１０ｃ）を係止する第２の係止爪部（１５）と、
を備え、
前記センサ用基板（１０）を前記案内用板部（１３）の前記ガイド部（１３ａ）に沿って前記案内用板部（１３）の前記一端部（１３ｂ）方向へ移動させて、前記センサ用基板（１０）を前記案内用板部（１３）の一端部（１３ｂ）と第１及び第２の係止爪部（１４、１５）との間に挿入させることにより、前記光センサ（９）及び前記センサ用基板（１０）を、前記第１及び第２の遮蔽板部（１１、１２）間、及び前記第１及び第２の係止爪部（１４、１５）の各係止突部（１４ｂ、１５ｂ）間に収容配置すると共に、前記第１及び第２の張り出し板部（１０ｂ、１０ｃ）を前記各係止爪部（１４、１５）により係止し且つ前記案内用板部（１３）の前記一端部（１３ｂ）と前記直状部（１４ａ、１５ａ）とでセンサ用基板（１０）を挟持したセキュリティ機器。
【請求項２】
前記第１及び第２の遮蔽板部（１１、１２）における前記一方向（Ｐ１）側の端部が前記案内用板部（１３）の前記一端部（１３ｂ）よりさらに前記一方向（Ｐ１）に突出し、この突出部分により前記第１及び第２の張り出し板部（１０ｂ、１０ｃ）の張り出し方向の動きを阻止する第１及び第２の動き止め部（１１ａ、１２ａ）を構成した請求項１記載のセキュリティ機器。
【請求項３】
前記アッパケース（４）の一つのアッパ側板部（４ｂ１）は前記ロアケース（３）の一つのロア側板部（３ｂ１）に係合手段（５）により回動可能に係合され、
前記係合手段（５）は、前記一つのアッパ側板部（４ｂ１）に形成した被係合部（５ｂ）と、前記一つのロア側板部（３ｂ１）に形成した係合部（５ａ）とから構成され、前記被係合部（５ｂ）は前記係合部（５ａ）に対して側方から係脱可能に係合しロアケース（３）に対してアッパケース（４）が離反する方向には外れない構成であり、
前記開放側のロア側板部（３ｂ３）及び前記開放側のアッパ側板部（４ｂ３）には前記ロアケース（３）に対する前記アッパケース（４）の閉塞状態をロックするロック手段（６）を備え、
前記ケース（２）には特定操作により前記ロック手段（６）のロックを解除するためのロック解除部（１７ａ）を備えた請求項１又は２記載のセキュリティ機器。
【発明の詳細な説明】
【技術分野】
【０００１】
本発明は、セキュリティシステムのホームコントローラ等のセキュリティ機器に関する。
【背景技術】
【０００２】
家屋等の建物に備えられるセキュリティシステムにおいては、防災用、防犯用の各種のセンサやスイッチ等を建物や敷地に設けると共に、それらセンサ等の全体を統括管理するホームコントローラを建物に設けて構成される。セキュリティ機器としてのホームコントローラは、薄形のケース内にセキュリティ機能を実現するための電子部品や、設定内容を表示したり監視状況を表示したりする表示器を備えている。前記ケースは、ロアケースと、一端部がロアケースの一端部に回動可能に係合されて当該一端部を中心として開閉可能に設けられたアッパケースとから構成されている。
【０００３】
このホームコントローラは、前記各種センサ等からの信号を監視し、異常検出時に、ユーザーに対する報知や、警備会社への通報を行うようになっている。
この種のセキュリティシステムにあっては、例えば建物内に侵入した賊（空き巣等）が、システムによる監視を解除させたり、セキュリティを無効化させたりするために、前記ホームコントローラのロアケースとアッパケースとの接合部をドライバのような不正道具を挿入してアッパケースを無理やりこじ開けることが想定される。その対策として、ロアケースに例えば光透過型の光センサを設け、ロアケースに光センサの透過光を遮断する被検出部を設ける構成とし、システムの監視時においてアッパケースがこじ開けられると前記光センサがアッパケースの不正開放を検出し、警備会社等に知らせるようにしている。
【０００４】
前記光センサは、ロアケースにおいて前記回動中心とは反対側である開放側の他端部に設けられていて、アッパケースの開放角度が小さくても早くアッパケースの不正開放を検出するようになっている。
【先行技術文献】
【特許文献】
【０００５】
【特許文献１】特開２０１２−１８５８６０号公報
【発明の概要】
【発明が解決しようとする課題】
【０００６】
ところで、最近では、表示器が薄形で大型化しており、監視状況を映し出すことも容易となっている。このような大型の表示器をケースに搭載する場合、表示器の外周縁部がケースの周縁部近くまで到達する形態となるため、ケースにおける余白部分が当該ケースの周縁部近くのみとなってしまう。このため、前記光センサを設置する部分もロアケースの周縁部近くとなってしまう。すると、前記不正道具が光センサに届きやすくなって、アッパケースの不正開放が検出される前に当該光センサが壊されてしまうおそれがある。光センサが壊されると、光センサが開放検出信号を出力できなくなってしまう。このためアッパケースが不正に開放されてもこれを検出できなくなってしまい、警備会社などへの通報ができなくなってしまう。
【０００７】
又、光センサがロアケースの周縁部（ロアケースとアッパケースとの接合部分）近くに位置することで、ホームコントローラを窓際等に設置した場合にケース外部からの強い光（太陽光）がケース内に入りやすくなってしまい、光センサが誤動作するおそれもある。さらに、上述したケースにおける余白部分が狭いため、光センサをねじ止めなどにより取り付ける場合、狭いところでの取付作業となるため、取付作業が面倒となる不具合もある。
【０００８】
本発明は上述の事情に鑑みてなされたものであり、その目的は、アッパケースの開放検出用の光センサを備えたセキュリティ機器において、光センサが不正に壊されることを回避できると共に、光センサが外部光によって誤動作することを回避でき、さらに光センサの取り付けも容易となるセキュリティ機器を提供することにある。
【課題を解決するための手段】
【０００９】
請求項１の発明においては、ケース（２）の内部に表示器（８）を備えている。表示器（８）は前述したように大型化してきていることから、大型の表示器（８）を採用することを考慮すると、アッパケース開放検出用の光センサ（９）は、ロアケース（３）において開放側のロア側板部（３ｂ３）の近くに設けられる。
このように光センサ（９）が、ロアケース（３）の開放側のロア側板部（３ｂ３）の近くに設けられると、賊が不正道具を用いてロアケース（３）とアッパケース（４）との接合部でアッパケース（４）をこじ開けようとしたときに、不正道具が光センサ（９）に届きやすくなって当該光センサ（９）を壊してしまうおそれがある。
【００１０】
この点、この請求項１の発明では、光センサ（９）の近くである前記開放側のロア側板部（３ｂ３）及び開放側のアッパ側板部（４ｂ３）の接合部から不正道具がケース（２）内部に進入し得たとしても、前記接合部に近い側の遮蔽板部（１１）及び係止突部（１４ｂ）によって不正道具のそれ以上の光センサ（９）方向への進入を阻止でき、光センサ（９）が壊されることを回避できる。
【００１１】
又、光センサ（９）が、ロアケース（３）の前記開放側のロア側板部（３ｂ３）の近くに位置することで、セキュリティ機器を窓際等に設置した場合にケース（２）外部から太陽光などの外部光が光センサ（９）に入りやすくなることが懸念されるが、この請求項１の発明によれば、第１の遮蔽板部（１１）、第２の遮蔽板部（１２）、第１の係止突部（１４ｂ）、第２の係止突部（１５ｂ）により光センサ（９）に外部光が入ることを防止できる。従って、光センサ（９）の誤動作も防止できる。
【００１２】
又、表示器（８）と前記開放側のロア側板部（３ｂ３）との間が狭いことから光センサ（９）の取り付けも難しくなると予想される。
この点、請求項１の発明では、ガイド部（１３ａ）を有する案内用板部（１３）を形成したので、センサ用基板（１０）を案内用板部（１３）のガイド部（１３ａ）に沿って案内用板部（１３）の一端部（１３ｂ）方向へ移動させて、センサ用基板（１０）を案内用板部（１３）の一端部（１３ｂ）と第１及び第２の係止爪部（１４、１５）との間に挿入させれば、光センサ（９）及びセンサ用基板（１０）を、第１及び第２の遮蔽板部（１１、１２）間、及び前記第１及び第２の係止爪部（１４、１５）の各係止突部（１４ｂ、１５ｂ）間に容易に収容配置できる。これと同時に、第１及び第２の張り出し板部（１０ｂ、１０ｃ）を各係止爪部（１４、１５）により係止し且つ案内用板部（１３）の一端部と直状部（１４ａ、１５ａ）でセンサ用基板（１０）を挟持でき、よって、光センサ（９）の取り付け固定も容易にできる。
【００１３】
又、アッパケース（４）が回動支点を中心として開放された場合に当該アッパケース（４）の前記開放側のアッパ側板部（４ｂ３）が先にロアケース（３）に対して離間（開放）する。そして被検出部（１８）をアッパケース（４）の前記開放側のアッパ側板部（４ｂ３）側に設け、光センサ（９）をロアケース（３）の前記開放側のロア側板部（３ｂ３）側に設けているので、アッパケース（４）の開放角度が小さくても、当該アッパケース（４）の開放を直ちに検出することができる。
【００１４】
又、請求項２の発明では、第１及び第２の遮蔽板部（１１、１２）における一方向（Ｐ１）側の端部が案内用板部（１３）の一端部（１３ｂ）よりさらに一方向（Ｐ１）に突出し、この突出部分により第１及び第２の張り出し板部（１０ｂ、１０ｃ）の張り出し方向の動きを阻止する第１及び第２の動き止め部（１１ａ、１２ａ）を構成している。
【００１５】
前記係止爪部（１４、１５）の係止力によってセンサ用基板（１０）の第１及び第２の張り出し板部（１０ｂ、１０ｃ）の張り出し方向の動き止めも期待できるが、この請求項２の発明のように第１及び第２の動き止め部（１１ａ、１２ａ）を備えることで、第１及び第２の遮蔽板部（１１、１２）を利用して第１及び第２の張り出し板部（１０ｂ、１０ｃ）の張り出し方向の動き止めを確実にできる。
【００１６】
又、請求項３では、前記アッパケース（４）の一つのアッパ側板部（４ｂ１）は前記ロアケース（３）の一つのロア側板部（３ｂ１）に係合手段（５）により回動可能に係合し、前記係合手段（５）は、前記一つのアッパ側板部（４ｂ１）に形成した被係合部（５ｂ）と、前記一つのロア側板部（３ｂ１）に形成した係合部（５ａ）とから構成され、前記被係合部（５ｂ）は前記係合部（５ａ）に対して側方から係脱可能に係合しロアケース（３）に対してアッパケース（４）が離反する方向には外れない構成であり、前記開放側のロア側板部（３ｂ３）及び前記開放側のアッパ側板部（４ｂ３）には前記ロアケース（３）に対する前記アッパケース（４）の閉塞状態をロックするロック手段（６）を備え、前記アッパケース（４）又はロアケース（３）には特定操作により前記ロック手段（６）のロックを解除するためのロック解除部（１７ａ）を備えている。
【００１７】
これによれば、アッパケース（４）が閉塞された状態では、当該アッパケース（４）はロアケース（３）に対して離反する方向には外れない。つまり、係合手段（５）部分ではアッパケース（４）がロアケース（３）に係合されていて当該アッパケース（４）を外せない。そこで、前記開放側のロア側板部（３ｂ３）及び前記開放側のアッパ側板部（４ｂ３）に前記ロアケース（３）に対する前記アッパケース（４）の閉塞状態をロックするロック手段（６）を備えることで、１つのロック手段（６）によりアッパケース（４）の全体的な閉塞をロックできる。
さらに、本請求項３の発明においては、特定操作によりロック手段（６）のロックを解除するためのロック解除部（１７ａ）を備えることにより、ユーザーの特定操作により簡単にロックを解除でき且つ賊に対して簡単にロックを解除できないようにできる。
【００１８】
ところが上述の構成においては、常習的な賊の場合、このロック解除部（１７ａ）が存在する前記開放側のロア側板部（３ｂ３）を狙って不正道具を差し込むことも懸念される。この場合、このロック解除部（１７ａ）が存在する前記開放側のロア側板部（３ｂ３）及び前記開放側のアッパ側板部（４ｂ３）部分に上述の光センサ（９）も存在するため、この光センサ（９）が前記不正道具によって壊される確率も高くなることが予想される。しかし、この請求項５の発明では、光センサ（９）に対する破壊行為確率が高い場合でも、前述したように特に第１の遮蔽板部（１１）と第１の係止爪部（１４）の係止突部（１４ｂ）とにより光センサ９を有効に防御できる。
【図面の簡単な説明】
【００１９】
【図１】本発明の一実施形態によるセキュリティ機器の斜視図
【図２】アッパケースを取り外した状態のセキュリティ機器の斜視図
【図３】セキュリティ機器の縦断側面図
【図４】ロック部部分の分解斜視図
【図５】光センサ及び囲繞壁部部分の斜視図
【図６】光センサ及び囲繞壁部部分の平面図
【図７】光センサの斜視図
【図８】光センサの平面図
【図９】囲繞壁部部分の斜視図
【図１０】囲繞壁部部分の平面図
【図１１】光センサの取り付け手順を時系列で示す図
【発明を実施するための形態】
【００２０】
以下、本発明の一実施形態について図１〜図１１を参照して説明する。図１には、例えばセキュリティシステムのホームコントローラなどに採用されるセキュリティ機器１を示している。セキュリティ機器１のケース２は、合成樹脂製のロアケース３とアッパケース４とを有して構成されている。なお、上記ケース２は建物などの垂直な壁面などに配設されるが、以下の構成説明においては、便宜上、ロアケース３が適宜の水平面に置かれていると仮定して説明する。
【００２１】
ロアケース３は、矩形状をなすロア主板部３ａと、当該ロア主板部３ａの各辺縁部から相互に連続して立ち上がる４つのロア側板部３ｂ１〜３ｂ４を有する構成としている。なお、ロア側板部３ｂ１を第１のロア側板部３ｂ１と称し、ロア側板部３ｂ２を第２のロア側板部３ｂ２と称し、ロア側板部３ｂ３を第３のロア側板部３ｂ３と称し、ロア側板部３ｂ４を第４のロア側板部３ｂ４と称する。
【００２２】
一つのロア側板部に相当する前記第１のロア側板部３ｂ１には、係合手段５（図２及び図３参照）の係合部に相当する二つの係合孔部５ａ、５ａが形成されている。前記第１のロア側板部３ｂ１とは反対側である開放側のロア側板部に相当する第３のロア側板部３ｂ３には、ロック手段６（図２〜図４参照）の一部を構成するロック片部６ａを上方へ延出するように形成しており、このロック片部６ａは、図３に二点鎖線で示すように可撓変形可能である。このロック片部６ａには係止孔部６ｂが形成されている。
【００２３】
上記ロアケース３のロア主板部３ａ内面には、図示しないセキュリティ機能を実現するための電子部品（図示せず）を実装した制御基板７が配設されていると共に、この制御基板７に矩形状をなす表示器８が搭載されている。この表示器８は、例えば液晶ディスプレーから構成され、一面に表示面８ａを有する。この表示器８は、平面的な大きさが大きく、外周縁部はロアケース３の各ロア側板部３ｂ１〜３ｂ４の近くまで到達する。このため、表示器８の外周縁部とロアケース３の各ロア側板部３ｂ１〜３ｂ４との間（余白部分）は比較的狭くなっている。
【００２４】
図２に示すように、光センサ９は、前記ロアケース３において、表示器８と開放側の第３のロア側板部である第３のロア側板部３ｂ３と間となる部位に、後述する係止手段１６により取り付けられている。この光センサ９はアッパケース開放検出用である。この場合、表示器８の外周縁部と第３のロア側板部３ｂ３との間が狭いことからこの光センサ９は第３のロア側板部３ｂ３の近くに位置する。
【００２５】
この光センサ９は光透過型であり、図７及び図８に示すように、橋架部９ｈの両端部に一対のほぼ平行なアーム部９ａ、９ｂを一方向に突出した形態をなす。前記アーム部９ａ、９ｂの内部にそれぞれ発光部及び受光部を備えており、このアーム部９ａ、９ｂの間が検出領域９Ｅとなっている。そして、この光センサ９の一面（アーム部９ａ、９ｂ先端面と反対側の面）を基板取付面９ｉとしている。この基板取付面９ｉにはセンサ用基板１０が取り付けられている。当該センサ用基板１０と光センサ９とは一体物（センサユニット９Ａ）とされている。
【００２６】
前記センサ用基板１０は、光センサ９より上下方向に長く形成されており、当該センサ用基板１０の上部に光センサ９が位置する。つまり、センサ用基板１０には、光センサ９より下方（ロア主板部３ａ方向）へ突出する突出部１０ａを有する。
【００２７】
このセンサ用基板１０の突出部１０ａの両端部は、光センサ９の両側部９ａ１、９ｂ１より横方向に張り出していて、第１の張り出し板部１０ｂ及び第２の張り出し板部１０ｃを構成している。
【００２８】
前記光センサ９は後述より明らかとなるが表示器８と開放側の第３のロア側板部３ｂ３との間に設けられる。
図５、図６、図９及び図１０において、第１の遮蔽板部１１及び第２の遮蔽板部１２は、ロアケース３のロア主板部３ａの内面における開放側のロア側板部である第３のロア側板部３ｂ３の近傍に、ロア主板部３ａの内面から夫々アッパ主板部４ａ内面方向へ立ち上がるように形成されている。これら第１の遮蔽板部１１及び第２の遮蔽板部１２は、相互に平行で且つ第３のロア側板部３ｂ３とも平行な形態に形成されている。
【００２９】
さらにこれら第１の遮蔽板部１１及び第２の遮蔽板部１２は、図６及び図１０に示すように、第３のロア側板部３ｂ３と直交する方向（矢印Ｍ方向）に離間し相互離間距離ｍ１（図６及び図１０参照）が第１及び第２の張り出し板部１０ｂ、１０ｃの外端間寸法ｍ２（図６及び図８参照）とほぼ同等もしくは僅かに大きく設定されている。又、これら第１の遮蔽板部１１及び第２の遮蔽板部１２の高さ寸法ｈ１は、前記センサ用基板１０の突出部１０ａの高さ寸法ｈ２（これは第１の張り出し板部１０ｂ及び第２の張り出し板部１０ｃの高さでもある）とほぼ同等であり、第３のロア側板部３ｂ３に沿う方向（図６矢印Ｐ方向）の幅寸法ｗ１は、光センサ９の側面の長さ及びセンサ用基板１０の板厚を含めた長さ寸法ｗ２とほぼ同等としている。
【００３０】
案内用板部１３は、ロアケース３のロア主板部３ａの内面において第１の遮蔽板部１１及び第２の遮蔽板部１２の間に、ロア主板部３ａの内面からアッパ主板部４ａ内面方向へ立ち上がるように形成されている。この案内用板部１３は、第１の遮蔽板部１１及び第２の遮蔽板部１２と平行となる形態に形成され、立ち上がり方向の先端部をガイド部１３ａとしている。
【００３１】
図９及び図１０に示すように、第１の係止爪部１４は、直状部１４ａと係止突部１４ｂとからなる。直状部１４ａは、ロアケース３のロア主板部３ａの内面において案内用板部１３の一端部１３ｂから一方向である矢印Ｐ１方向にセンサ用基板１０の板厚ｔ１相当距離ｔ１´離れた位置であって前記第１の遮蔽板部１１の一端部の近傍の位置に、立ち上がり形成されている。係止突部１４ｂは直状部１４ａの立ち上がり先端部に矢印Ｐ１方向とは逆方向に突出するように形成されている。この係止突部１４ｂの下面において前記直状部１４ａとの連結部分はほぼ直角の面１４ｃとなっている。又、前記係止突部１４ｂの下面において上記面１４ｃから先の部分は、ロア側板部３ｂ３の内面に向く斜状面１４ｃ１となっている。直状部１４ａの高さ寸法ｈ３（図１１（ａ）参照）は、前記第１及び第２の張り出し板部１０ｂ、１０ｃの高さ寸法ｈ２と同等である。そして、係止突部１４ｂの直状部１４ａからの突出長さ寸法ｓ１（上端部の突出長さ、図９及び図１０参照）は前記センサ９の側面の長さ及びセンサ用基板１０の板厚を含めた長さ寸法ｗ２とほぼ同等としている。又、係止突部１４ｂの基端部での高さ方向の長さ寸法ｓ２（図９参照）は光センサ９の高さ方向の長さ寸法ｓ３（図７参照）とほぼ同等としている。
【００３２】
第２の係止爪部１５は、第１の係止爪部１４と同様の直状部１５ａと係止突部１５ｂとからなる。直状部１５ａは、ロアケース３のロア主板部３ａの内面において案内用板部１３の一端部１３ｂから一方向である矢印Ｐ１方向にセンサ用基板１０の板厚ｔ１相当距離ｔ１´離れた位置であって前記第２の遮蔽板部１２の一端側の位置に、立ち上がり形成されている。上記直状部１５ａ及び係止突部１５ｂは前記係止爪部１４の直状部１４ａ及び係止突部１４ｂと同じ構成であり、係止突部１５ｂの下面に直状部１５ａと直角をなす面１５ｃ１と斜状面１５ｃ１とを有する。
【００３３】
前記第１及び第２の係止爪部１４、１５と前記案内用板部１３の一端部１３ｂとで係止手段１６が構成されている。
なお、前記案内用板部１３は、図１０に示すように、反矢印Ｐ１方向の端部（他端部）が前記第１及び第２の遮蔽板部１１、１２の他端部より反矢印Ｐ１方向に寸法ｄ１突出している。
【００３４】
又、前記第１の遮蔽板部１１及び第２の遮蔽板部１２における一方向である矢印Ｐ１方向側の端部が案内用板部１３の一端部１３ｂよりさらに矢印Ｐ１方向に突出し、この突出部分により前記第１及び第２の張り出し板部１０ｂ、１０ｃの張り出し方向の動きを阻止する第１及び第２の動き止め部１１ａ、１２ａを構成している。
【００３５】
光センサ９をロアケース３に取り付ける場合について説明する。図１１（ａ）に二点鎖線で示すように、センサ用基板１０を案内用板部１３のガイド部１３ａに乗せる。この場合、第１及び第２の遮蔽板部１１、１２の他端部よりも案内用板部１３の他端部が反矢印Ｐ１方向に突出しているからセンサ用基板１０の突出部１０ａを案内用板部１３のガイド部１３ａ他端部に乗せやすい。そして、第１及び第２の張り出し板部１０ｂ、１０ｃを、第１及び第２の遮蔽板部１１、１２間に位置合わせして、光センサ９をガイド部１３ａに沿って矢印Ｐ１方向（案内用板部１３の一端部３ｂ方向）へ移動させる。
【００３６】
この移動により第１及び第２の張り出し板部１０ｂ、１０ｃの上端部１０ｂ´、１０ｃ´が係止突部１４ｂ、１５ｂの斜状面１４ｃ１、１５ｃ１に遭遇して当該斜状面１４ｃ１、１５ｃ１を押すことで第１及び第２の係止爪部１４、１５を可撓変形させる（図１１（ｂ）参照）。この場合、第１及び第２の張り出し板部１０ｂ、１０ｃの上端部１０ｂ´、１０ｃ´が係止突部１４ｂ、１５ｂの斜状面１４ｃ１、１５ｃ１により下向きの力を受ける。
【００３７】
さらに光センサ９を移動させると、下向きの力を受けている第１及び第２の張り出し板部１０ｂ、１０ｃが、案内用板部１３の一端部１３ｂと第１及び第２の係止爪部１４、１５との間に自ずと挿入される。これによって、光センサ９及びセンサ用基板１０を、第１及び第２の遮蔽板部１１、１２間、及び第１及び第２の係止爪部１４、１５の各係止突部１４ｂ、１５ｂ間に収容配置する。これと同時に、前記各係止爪部１４、１５の面１４ｃ、１５ｃ１により第１及び第２の張り出し板部１０ｂ、１０ｃを高さ方向に動かないように係止し且つ案内用板部１３の一端部１３ｂと直状部１４ａ、１５ａとによりセンサ用基板１０を板厚方向に動かないように挟持し、もって光センサ９を第３のロア側板部３ｂ３近くに取り付け固定している。
【００３８】
この取付状態を示す図５及び図６において、センサ用基板１０はロア主板部３ａから立ち上がり形態に取り付けられ、光センサ９はロア主板部３ａの内面から第１の張り出し板部１０ｂ及び第２の張り出し板部１０ｃの高さ寸法ｈ２相当浮いた形態に取り付けられる。又、前記寸法第１及び第２の張り出し板部１０ｂ、１０ｃの高さ寸法ｈ２と直状部１４ａの高さ寸法ｈ３とがほぼ同等に設定され、さらに寸法係止突部１４ｂの基端部の高さ方向の長さ寸法ｓ２が光センサ９の高さ方向の長さ寸法ｓ３とほぼ同等に設定されており、且つ寸法係止突部１４ｂの直状部１４ａからの突出長さ寸法ｓ１が光センサ９の側面の長さ及びセンサ用基板１０の板厚を含めた長さ寸法ｗ２とほぼ同等に設定されているから、係止突部１４ｂ、１５ｂが光センサ９の両側面とほぼ同じ高さ位置で当該光センサ９の両側面を覆うようになる。又、第１の遮蔽板部１１及び第２の遮蔽板部１２の高さ寸法ｈ１が直状部１４ａの高さ寸法ｈ３とほぼ同等に設定され、遮蔽板部１１、１２の幅寸法ｗ１が光センサ９の側面の長さ及びセンサ用基板１０の板厚を含めた長さ寸法ｗ２とほぼ同等に設定されているから、第１及び第２の遮蔽板部１１、１２が前記光センサ９の下方空間部を覆うようになる。
【００３９】
一方、前記アッパケース４は、矩形状をなすアッパ主板部４ａと、このアッパ主板部４ａの各辺縁部から相互に連続して立ち上がる４つのアッパ側板部４ｂ１〜４ｂ４を有する。なお、アッパ側板部４ｂ１を第１のアッパ側板部４ｂ１と称し、アッパ側板部４ｂ２を第２のアッパ側板部４ｂ２と称し、アッパ側板部４ｂ３を第３のアッパ側板部４ｂ３、アッパ側板部４ｂ４を第４のアッパ側板部４ｂ４と称する。
【００４０】
又、このアッパ主板部４ａには、表示器用窓４ｃが設けられており、この表示器用窓４ｃには透明パネル４ｄが装着されている。なお、この透明パネル４ｄは無くても良い。
前記第１のアッパ側板部４ｂ１には、前記係合孔部５ａ、５ａとで、前記係合手段５を構成する被係合部としての係合突起部５ｂ、５ｂが形成されている。この係合突起部５ｂ、５ｂは前記係合孔部５ａ、５ａに横方向（側方）から挿入係合可能であり、挿入係合されると上下方向（アッパケース４がロアケース３と離反する方向）には外れない形態に係合される。
又、前記第３のアッパ側板部４ｂ３の内面には、図２〜図４に示すように、前記ロック片部６ａ及び係止孔部６ｂとでロック手段６を構成する係止爪部６ｃが形成されている。前記係止爪部６ｃは前記係止孔部６ｂに挿入されて係止される。
【００４１】
さらに、図２に示すように、アッパケース４のアッパ主板部４ａにおいて前記光センサ９の検出領域９Ｅに対応する部分には、ロアケース３に対するアッパケース４の閉塞状態で光センサ９の検出領域９Ｅに進入する板状の被検出部１８が形成されている。
又、前記第３のアッパ側板部４ｂ３においてロック片部６ａの上部と対応する部分には、ロック解除部としてのロック解除用孔部１７ａが形成されている。又、この実施形態では、このロック解除用孔部１７ａに差し込むための解除器具１７ｂを備えている。
【００４２】
上記アッパケース４をロアケース３に取り付ける場合には、係止突起部５ｂ、５ｂを、ロアケース３の前記係止孔部５ａ、５ａに側方（図３の矢印Ｂ方向）から挿入係合し、この係合部分を回動支点としてアッパケース４を回動させてロアケース３に被せる（ロアケース３を閉塞する）。すると係止爪部６ｃがロック片部６ａを図３の二点鎖線のように変形させ、そしてロック片部６ａが係止孔部６ｂに遭遇したところでロック片部ａが変形状態から復帰して係止爪部６ｃが係止孔部６ｂに係止される。この係止によりロアケース３に対するアッパケース４の閉塞状態をロックする。この閉塞状態のケース２において、ロアケース３の各のロア側板部３ｂ１〜３ｂ４に対してアッパケース４のアッパ側板部４ｂ１〜４ｂ４が板厚方向で接合された形態となる。
【００４３】
前記アッパケース４をロアケース３に対して開放する場合には、ロック解除用孔部１７ａに対して専用の解除器具１７ｂを挿入するといった特定操作をしてロック片部６ａを図３の二点鎖線に示すように変形させ、つまり係止孔部６ｂを係止爪部６ｃから外して係合を解除し、この状態で、アッパケース４の第３のロア側板部３ｂ３部分を二点鎖線で示すように開放させる。この後、二点鎖線状態のアッパケース４を図３の反矢印Ｂ方向へ動かすことで、係合突起部５ｂを係合孔部５ａから外せば、アッパケース４をロアケース３から分離できる。
【００４４】
又、上記アッパケース４の閉塞時に前記被検出部１８が検出領域９Ｅ内に進入する。又、前記表示器８の表示面８ａが前記アッパケース４の表示用窓部４ｃから外部に目視可能となっている。
【００４５】
なお、アッパケース４が第１のアッパ側板部４ｂ１側の係合手段５を中心として開放された場合に当該アッパケース４の第３のアッパ側板部４ｂ３が先にロアケース３に対して離間（開放）する。この場合、被検出部１８をアッパケース４の第３のアッパ側板部４ｂ３側に設け、光センサ９をロアケース３の第３のロア側板部３ｂ３側に設けているので、アッパケース４の開放角度が小さくても、当該アッパケース４の開放を直ちに検出することができる。
【００４６】
上述した実施形態においては、大型の表示器８を採用している。このような大型の表示器８を採用する場合、ロアケース３において表示器８と第３のロア側板部３ｂ３との間の余白部分がどうしても狭くなる。このような事情下では、アッパケース開放検出用の光センサ９は、ロアケース３において上記狭い余白部分に設けられることになる。
【００４７】
光センサ９は、上記余白部分のうちでも、アッパケース４が第１のアッパ側板部４ｂ１側を回動支点として開閉される場合、早くにアッパケース４の開放を検出できる第３のロア側板部３ｂ３側に設けられることになる。この場合、上記余白部分が狭いことから光センサ８は当然当該ロア側板部３ｂの近くとなる。
【００４８】
このように光センサ９が、ロアケース３の第３のロア側板部３ｂ３の近くに設けられると、賊が不正道具を用いてロアケース３とアッパケース４との接合部でアッパケース４をこじ開けるようとしたときに、不正道具が光センサ９に届きやすくなって当該光センサ９を壊してしまうおそれがある。
【００４９】
この点、本実施形態では、光センサ９の近くである第３のロア側板部３ｂ３（開放側のロア側板部）及び開放側のアッパ側板部４ｂ３の接合部から不正道具がケース２内部に進入し得たとしても、、第３のロア側板部３ｂ３に近い側の係止突部１４ｂによって不正道具が光センサ９の側面を覆っているから当該不正道具の光センサ９方向への進入を阻止できる。又、この光センサ９の下方空間部は第１の遮蔽板部１１により覆っているから、不正道具が上記下方空間部から斜め上の光センサ９方向へ進入することも阻止できる。この結果、光センサ９が壊されることを回避できる。
【００５０】
なお、この場合、上記遮蔽板部１１と係止突部１４ｂとの間に、図９及び図１１（ｃ）に示すように、僅かに隙間Ｇがあるが、実際には光センサ９自体がかなり小さいことから、これに比例してこの隙間Ｇも小さく、上記遮蔽板部１１と係止突部１４ｂとを合わせた防御領域の１／４程度である。又、実際に予想される不正道具（ドライバなど）の大きさ（太さ）に比べてもかなり小さい。この結果、遮蔽板部１１及び係止突部１４ｂは、実質的に不正道具の進入を有効に防止できる。
【００５１】
又、光センサ９が、ロアケース３の第３のロア側板部３ｂ３の近くに位置することで、セキュリティ機器を窓際等に設置した場合にケース２外部から太陽光などの外部光が光センサ９に入りやすくなることが懸念されるが、この実施形態によれば、第１の遮蔽板部１１及び係止突部１４ｂと、第２の遮蔽板部１２及び係止突部１５ｂとの間に光センサ９を収容配置したので、これら遮蔽板部１１、１２、係止突部１４ｂ、１５ｂにより、第１の光センサ９に外部光が入ることを極力防止できる。特には、第３のロア側板部３ｂ３に近い第１の遮蔽板部１１及び係止突部１４ｂが外部光遮断に有効であるが、第２の遮蔽板部１２及び係止突部１５ｂによっても他からの外部光を有効に遮断できる。この結果、光センサ９の誤動作も防止できる。
【００５２】
又、表示器８と第３のロア側板部３ｂ３との間が狭いことから光センサ９の取り付けも難しくなると予想される。
この点、この実施形態では、ガイド部１３ａを有する案内用板部１３を形成したので、センサ用基板１０を案内用板部１３のガイド部１３ａに沿って案内用板部１３の一端部１３ｂ方向へ移動させて、センサ用基板１０を案内用板部１３の一端部１３ｂと第１及び第２の係止爪部１４、１５との間に挿入させれば、光センサ９及びセンサ用基板１０を、第１及び第２の遮蔽板部１１、１２間及び第１及び第２の係止爪部１４、１５の各係止突部１４ｂ、１５ｂ間に容易に収容配置できる。これと同時に、第１及び第２の張り出し板部１０ｂ、１０ｃを各係止爪部１４、１５により係止できると共に、案内用板部１３の一端部１３ｂと直状部１４ａ、１５ａでセンサ用基板１０を挟持でき、よって、光センサ９の取り付け固定も容易にできる。
【００５３】
又、本実施形態においては、光センサ９をロアケース３のロア主板部３ａから浮く（離間する）形態に取り付けるので、光センサ９をアッパケース４のアッパ主板部４ａに近づけることができる。この結果、光センサ９がロア主板部３ａ近くに配設される場合に比して、被検出部１８の突出長さを短くできる。つまり、被検出部１８をアッパ側板部４ｂ１〜４ｂ４より短くすること（突出しないようにすること）が可能となる。そうすると、保守点検時において、アッパケース４が外されて適宜の置き台に置かれたとしても当該被検出部１８が置き台などに当たることがなく、被検出部１８の損傷を防止できる。特に被検出部１８は光センサ９の狭い検出領域９Ｅに入ることから薄板状であるため破損し易いから、上記構成は有利である。
【００５４】
又、この実施形態においては、アッパケース４が回動支点を中心として開放された場合に当該アッパケース４の第３のアッパ側板部４ｂ３が先にロアケース３に対して離間（開放）する。そして被検出部１８をアッパケース４の前記開放側のアッパ側板部４ｂ３側に設け、光センサ９をロアケース３の第３のロア側板部３ｂ３側に設けているので、アッパケース４の開放角度が小さくても、当該アッパケース４の開放を直ちに検出することができる。
【００５５】
又、この実施形態では、第１及び第２の遮蔽板部１１、１２における一方向側の端部が案内用板部１３の一端部１３ｂよりさらに一方向に突出し、この突出部分により第１及び第２の張り出し板部１０ｂ、１０ｃの張り出し方向の動きを阻止する第１及び第２の動き止め部１１ａ、１２ａを構成している。
【００５６】
前記係止爪部１４、１５の係止力によってセンサ用基板１０の第１及び第２の張り出し板部１０ｂ、１０ｃの張り出し方向の動き止めも期待できるが、この実施形態のように第１及び第２の遮蔽板部１１、１２が第１及び第２の動き止め部１１ａ、１２ａを備えることで、第１及び第２の遮蔽板部１１、１２を利用して、第１及び第２の張り出し板部１０ｂ、１０ｃの張り出し方向の動き止めを確実にできる。
【００５７】
又、本実施形態においては、係合手段５を、第１のアッパ側板部４ｂ１に形成した係合突起部５ｂ、５ｂと、第１のロア側板部３ｂ１に形成した係合孔部５ａ、５ａとから構成し、前記係合突起部５ｂ、５ｂを前記係合孔部５ａに対して側方から係脱可能に係合しロアケース３に対してアッパケース４が離反する方向には外れない構成とし、第３のロア側板部３ｂ３及び第３のアッパ側板部４ｂ３にはロアケース３に対するアッパケース４の閉塞状態をロックするロック手段６を備え、アッパケース４又はロアケース３には特定操作によりロック手段６のロックを解除するためのロック解除用孔部１７ａを備えている。
【００５８】
これによれば、アッパケース４が閉塞された状態では、当該アッパケース４はロアケース３に対して離反しない。つまり、係合手段５部分ではアッパケース４がロアケース３に係合されていて当該アッパケース４を外せない。そこで、第３のロア側板部３ｂ３及び第３のアッパ側板部４ｂ３に、ロアケース３に対するアッパケース４の閉塞状態をロックするロック手段６を備えることで、１つのロック手段６によりアッパケース４の全体的な閉塞をロックできる。
【００５９】
さらに、この実施形態では、特定操作によりロック手段６のロックを解除するためのロック解除部であるロック解除用孔部１７ａを備えることにより、ユーザーの特定操作により簡単にロックを解除でき且つ賊に対して簡単にロックを解除できないようにできる。
【００６０】
ところが上述の構成とすると、賊がわざわざこのロック解除用孔部１７ａがある第３のロア側板部３ｂ３を狙って不正道具を差し込むことも懸念される。この場合、このロック解除用孔部１７ａが存在する第３のロア側板部３ｂ３及び第３のアッパ側板部４ｂ３の近くに上述の光センサ９も存在するため、この光センサ９が前記不正道具によって壊される確率も高くなることが予想される。しかし、この実施形態では、光センサ９に対する破壊行為確率が高い場合でも、前述したように特に第１の遮蔽板部１１及び係止突部１４ｂにより光センサ９を有効に防御できる。
なお、光センサ９は、開放側のロア側板部３ｂ３の近くに設けられれば良く、第２のロア側板部３ｂ２部分又は第４のロア側板部３ｂ４部分においてロア側板部３ｂ３の近くであっても良い。
【００６１】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変更は、発明の範囲や要旨に含まれるとともに、特許請求の範囲に記載された発明とその均等の範囲に含まれる。
【符号の説明】
【００６２】
図面中、１はセキュリティ機器、２はケース、３はロアケース、３ａはロア主板部、３ｂ１〜３ｂ４はロア側板部、４はアッパケース、４ａはアッパ主板部、４ｂ１〜４ｂ４はアッパ側板部、５は係合手段、６はロック手段、８は表示器、９は光センサ、１０はセンサ用基板、１０ａは突出部、１０ｂは第１の張り出し板部、１０ｃは第２の張り出し板部、１１は第１の遮蔽板部、１１ａは動き止め部、１２は第２の遮蔽板部、１２ａは動き止め部、１３は案内用板部、１３ａはガイド部、１４は第１の係止爪部、１４ａは直状部、１４ｂは係止突部、１５は第２の係止爪部、１５ａは直状部、１５ｂは係止突部、１６は係止手段、１７ａはロック解除部、１８は被検出部を示す。
【図１】
2015185563.tif 000003
【図２】
2015185563.tif 000004
【図３】
2015185563.tif 000005
【図４】
2015185563.tif 000006
【図５】
2015185563.tif 000007
【図６】
2015185563.tif 000008
【図７】
2015185563.tif 000009
【図８】
2015185563.tif 000010
【図９】
2015185563.tif 000011
【図１０】
2015185563.tif 000012
【図１１】
2015185563.tif 000013